(57)【要約】      （修正有）【課題】カードを一覧可能に収容し、カードの出し入れが容易なカード収容部を有するカードケースを提供する。【解決手段】台紙１３と、カード枠層１４と、カード支持層１５とを備えたカードケース１１において、カード枠層は、カード１２を収容可能な切り抜き孔によって形成されたカード収容部１６を備え、カード収容部は、切欠き１６ｄが設けられた上辺１６ａと、底辺と、一対の側辺１６ｃとを有し、カード支持層は、上辺に対応する上部切れ込み線１７ａと、一対の側辺に対応した一対の側部切れ込み線１７ｂとを一繋がりの切れ込み線１７とすることにより、底辺に対応する箇所を基部１７ｃとしたフラップ部１８を形成し、一対の側部切れ込み線の各間の幅は、上部切れ込み線側よりも基部側を短く形成し、フラップ部がカード収容部内に収まるようにカード枠層側に押し下げられている。【選択図】図１
0003234324.tif 000002
【実用新案登録請求の範囲】
【請求項１】
台紙と、該台紙に貼り付けられ、カードより厚みのあるカード枠層と、該カード枠層の上面に貼り付けられたカード支持層とを備えて内部に前記カードを保持可能なカードケースにおいて、
前記カード枠層は、前記カードを収容可能な縦幅及び横幅を有する切り抜き孔によって形成されたカード収容部を備え、
前記カード収容部は、
切欠きが設けられた上辺と、該上辺に対向する底辺と、前記上辺と前記底辺とを繋ぐ一対の側辺とを有し、
前記カード支持層は、
前記上辺に対応する上部切れ込み線と、前記一対の側辺に対応した一対の側部切れ込み線とを一繋がりの切れ込み線とすることにより、前記底辺に対応する箇所を基部としたフラップ部を形成し、
前記一対の側部切れ込み線の各間の幅は、前記上部切れ込み線側よりも前記基部側を短く形成し、
前記フラップ部が前記カード収容部内に収まるように前記カード枠層側に押し下げられていることを特徴とするカードケース。
【請求項２】
前記カード収容部を複数備えていることを特徴とする請求項１記載のカードケース。
【請求項３】
前記台紙が２つ折り可能な板状部材であることを特徴とする請求項１又は２記載のカードケース。
【請求項４】
前記台紙と前記カード枠層と前記カード支持層とは、いずれも厚紙によって形成されていることを特徴とする請求項１乃至３のいずれか１項記載のカードケース。
【考案の詳細な説明】
【技術分野】
【０００１】
本考案は、カードケースに関し、詳しくは、トレーディングカード等の図像を有するカード類を見栄え良く収納するとともに、出し入れが容易かつ確実に保持可能なカードケースに関する。
【背景技術】
【０００２】
従来のカードケースには、カード収容する複数のポケットを２次元的に配列し、収容した複数のカードを一覧可能に保持ものがある（例えば特許文献１参照。）。
【先行技術文献】
【特許文献】
【０００３】
【特許文献１】実開昭６２−１１６８８３号公報
【考案の概要】
【考案が解決しようとする課題】
【０００４】
しかしながら、このようなカードケースの多くは、カードを収容するポケットがポリ塩化ビニール等の軟質樹脂で形成された袋状のものであるため、ポケット内が貼り付きやすく、摩擦によってカードが引っかかって出し入れしにくくなるという問題があった。しかも、出し入れするカードの耐久性が低いと、カードがポケットに引っかかった際に、カードが折れ曲がったり破れたりするおそれがあった。
【０００５】
特に、トレーディングカード等の紙製のカードは、カードを保護するスリーブを装着した状態でカードケースに収容することが多く、ポケットに対するカードの出し入れがさらにしにくくなって、折れや破れが生じやすくなっていた。そして、このような折れ等が生じてしまうと、トレーディングカードの図像等を覧賞するのに影響するという問題があった。
【０００６】
そこで本考案は、カードを見栄え良く収容し、カードの出し入れが容易なカード収容部を有するカードケースを提供することを目的としている。
【課題を解決するための手段】
【０００７】
上記目的を達成するため、本考案のカードケースは、台紙と、該台紙に貼り付けられ、カードより厚みのあるカード枠層と、該カード枠層の上面に貼り付けられた前記カード支持層とを備えて内部にカードを保持可能なカードケースにおいて、前記カード枠層は、前記カードを収容可能な縦幅及び横幅を有する切り抜き孔によって形成されたカード収容部を備え、前記カード収容部は、切欠きが設けられた上辺と、該上辺に対向する底辺と、前記上辺と前記底辺とを繋ぐ一対の側辺とを有し、前記カード支持層は、前記上辺に対応する上部切れ込み線と、前記一対の側辺に対応した一対の側部切れ込み線とを一繋がりの切れ込み線とすることにより、前記底辺に対応する箇所を基部としたフラップ部を形成し、前記一対の側部切れ込み線の各間の幅は、前記上部切れ込み線側よりも前記基部側を短く形成し、前記フラップ部が前記カード収容部内に収まるように前記カード枠層側に押し下げられていることを特徴としている。
【０００８】
また、前記カード収容部を複数備えていること、前記台紙が２つ折り可能な板状部材であること、前記台紙と前記カード枠層と前記カード支持層とは、いずれも厚紙によって形成されていることも特徴としている。
【考案の効果】
【０００９】
このように、本項案のカードケースによれば、フラップ部の一対の側部切れ込み線の各間の幅が基部側の方が短く形成されていることにより、当該部分とフラップ部の表面とで、カードの底部を挟持しながらカードを収容できるので、カードを確実に保持できる。
【００１０】
また、上辺に切欠きが設けられているので、切欠きに指を挿入することにより、カード収容部に収容したカードを容易に取り出すことが出来る。しかも、カード収容部では、収容されたカードがフラップ部の一部と突出部とにのみ接触しているので、カードとの摩擦が少なくスムーズに取り出すことができる。
【００１１】
また、カード枠層にカード収容部を複数備えているので、複数のカードを一覧可能に収容できる。
【００１２】
さらに、カードケースが２つ折り可能な板状部材であることにより、冊子状のカードケースとすることができ、携帯性を保ちつつ、一覧可能なカードの収容数を増やすことができる。
【００１３】
そして、台紙とカード枠層とカード支持層とが、いずれも厚紙によって形成されており、カードを保持するために摩擦の大きい軟質樹脂製素材を使う必要がないのでカードの出し入れがより容易になるとともに、環境にも配慮されている。
【図面の簡単な説明】
【００１４】
【図１】本考案のカードケースの外観を示す斜視図である。
【図２】図１のカードケースの積層構造を示す分解斜視図である。
【図３】図１のカード収容部にカードが収容された状態を示す要部拡大平面図である。
【図４】図３のＩＶ−ＩＶ断面図である。
【考案を実施するための形態】
【００１５】
図１は、本考案の一形態例であるカードケース１１の外観を示す斜視図であり、図２は、カードケース１１の積層構造を示す分解斜視図である。
【００１６】
図１及び図２に示されるように、カードケース１１は、内部に複数枚のカード１２を保持可能に形成されており、中央に折り目を備えて二つ折り可能な板状部材からなる台紙１３と、台紙１３の折りたたむ際に内側になる面に貼り付けられ、カード１２より厚みのあるカード枠層１４と、カード枠層１４の表面に貼り付けられたカード支持層１５とによって冊子状に構成されている。
【００１７】
カード枠層１４は、開いた状態の台紙１３に、中央の折り目を境にした両側に設けられており、いずれにもカード支持層１５が貼り付けられている。
【００１８】
ここで、台紙１３とカード枠層１４とカード支持層１５とは、いずれも厚紙によって形成されている。また、台紙１３には、折りたたむ際に外側になる面を包むようにコート紙が貼り付けられて表紙を形成している。
【００１９】
カード枠層１４は、カード１２を収容可能な縦幅及び横幅を有する切り抜き孔によって形成されたカード収容部１６を複数備えており、本形態例では、縦方向に等間隔で３段並べられたものが横方向に等間隔で３列並べられている。
【００２０】
また、それぞれのカード収容部１６は、半円形の切欠き１６ｄが設けられた上辺１６ａと、上辺１６ａに対向する底辺１６ｂと、上辺１６ａと底辺１６ｂとを結ぶ一対の側辺１６ｃとを有している。
【００２１】
本形態例では、収容するカードのサイズは縦幅８８〜９２ｍｍ、横幅６３〜６６ｍｍのものを想定しており、カード収容部１６の縦幅は９３．５ｍｍ、横幅は６８ｍｍで設計されている。また、切欠き１６ｄは、上辺１６ａの中央に位置し、直径が人の指幅に対応した長さとして１５．７８ｍｍに設計されている。
【００２２】
カード支持層１５は、上辺１６ａに対応する上部切れ込み線１７ａと、一対の側辺１６ｃに対応した一対の側部切れ込み線１７ｂとを一繋がりの切れ込み線１７とすることにより、底辺１６ｂに対応する箇所を基部１７ｃとして折り曲げ可能なフラップ部１８を形成している。
【００２３】
また、側部切れ込み線１７ｂの中途部には緩やかなＳ字状の段差が設けられて、一対の側部切れ込み線１７ｂの各間の幅が、上部切れ込み線１７ａ側よりも基部１７ｃ側で短くなるように形成されることにより、カード収容部１６の側辺１６ｃと底辺１６ｂとがなす２隅をそれぞれ覆う一対の突出部１９が形成されている。
【００２４】
ここで、切れ込み線１７の縦幅、すなわち、上部切れ込み線１７ａと基部１７ｃとの間の幅は９２．５ｍｍに設計されており、切れ込み線１７の横幅、すなわち、側部切れ込み線１７ｂの各間の幅は、上側が６７ｍｍ、狭まった下側、つまり、突出部１９同士の間が６２ｍｍに設計されている。
【００２５】
また、図２に示されているように、カード枠層１４とカード支持層１５とは、各カード収容部１６と重なる範囲に各切れ込み線１７が収まるように積層されて接着されているので、フラップ部１８は基部１７ｃから折り曲げて動かすことができる。
【００２６】
したがって、台紙１３にカード枠層１４とカード支持層１５とを積層した段階では、フラップ部１８がカード収容部１６の上面を覆っているが、カード１２を収容する際に、フラップ部１８をカード収容部１６内に収まるようにカード枠層１４側に押し下げることで、カード収容部１６内にカード１２を収容可能になる。
【００２７】
このとき、フラップ部１８は、基部１７ｃのあるカード収容部１６の底辺１６ｂ側から上辺１６ａ側に向けて下降するように傾斜して、カード収容部１６に収容されるカード１２の背面を支持する状態になる。
【００２８】
また、一度フラップ部１８を押し下げると、カード支持層１５が弾性の弱い厚紙で形成されているために、押し下げられた状態が自然に復元されることはなく、カード収容部１６にカード１２を収容可能な状態が維持される。
【００２９】
図３は、図１のカード収容部１６にカード１２が収容された状態を示す要部拡大平面図であり、図４は、図３のＩＶ−ＩＶ断面図である。
【００３０】
図３及び図４に示されるように、フラップ部１８が押し下げられたカード収容部１６内にカード１２を収容する場合、カード収容部１６の上辺１６ａ側からカード１２の底部を差し込み、底辺１６ｂに達するまで押し込む。このとき、差し込まれたカード１２は、底辺１６ｂ側に押し込まれるにつれてフラップ部１８に押し上げられる。
【００３１】
したがって、カード１２の底部が基部１７ｃに達し、カード１２全体がカード収容部１６内に収まると突出部１９によってカード１２の押し上げが規制されるため、カード１２は、底部が突出部１９とフラップ部１８に挟み込まれる形でカード収容部１６内に係止される。
【００３２】
カード収容部１６から収容されたカード１２を取り出す場合は、切欠き１６ｄに指を差し込んでカードの上部を引き上げ、収容したときと逆方向にカード１２をカード収容部１６の外へ引き出す。
【００３３】
このように、本項案のカードケース１１によれば、フラップ部１８の一対の側部切れ込み線１７ｂの各間の幅が基部１７ｃ側の方が短く形成されていることにより、当該部分とフラップ部１８の表面とで、カード１２の底部を挟持しながらカード１２を収容できるので、カード１２を確実に保持できる。
【００３４】
また、上辺１６ａに切欠き１６ｄが設けられているので、切欠きに指を挿入することにより、カード収容部１６に収容したカード１２を容易に取り出すことが出来る。しかも、カード収容部１６では、収容されたカード１２がフラップ部１８の一部と突出部１９とにのみ接触しているので、カード１２との摩擦が少なくスムーズに取り出すことができる。
【００３５】
また、カード枠層１４にカード収容部１６を複数備えているので、複数のカード１２を一覧可能に収容できる。
【００３６】
さらに、カードケース１１が２つ折り可能な板状部材であることにより、冊子状のカードケース１１とすることができ、携帯性を保ちつつ、一覧可能なカード１２の収容数を増やすことが出来る。
【００３７】
そして、台紙１３とカード枠層１４とカード支持層１５とが、いずれも厚紙によって形成されており、カード１２を保持するために摩擦の大きい軟質樹脂製素材を使う必要がないのでカード１２の出し入れがより容易になるとともに、環境にも配慮されている。
【００３８】
なお、本考案は、以上の形態例に限定されることなく、考案の範囲内において種々の変更が可能である。例えば、本形態例では、台紙が二つ折り可能に形成されているが、必ずしも二つ折りにする必要はなく、三つ折り以上に折りたたみ可能に形成してもよく、また、折りたたみ構造を不要としてもよい。
【００３９】
また、本形態例では、一つのカード枠層にカード収容部をそれぞれ縦３段、横３列設けて、計９枚のカードを収容可能にしているが、一つのカード枠層におけるカードの収容枚数やカード収容部の配置は、カードケースの形状及びサイズに応じて変更してもよく、カード収容部を縦２段、横３列としたり、縦３段、横４列としたりしてもよい。
【００４０】
また、本形態例では、カードケースに収容されるカードは何も装着されていない裸の状態であるが、必ずしも裸のままである必要はなく、スリーブを装着した状態のカードでもよい。
【００４１】
また、本考案のカードケースは覧賞性が高いので、図像を有するトレーディングカードのコレクションに好適であるが、トレーディングカードに限らず、その他の各種カードを収容してもよい。
【符号の説明】
【００４２】
１１…カードケース、１２…カード、１３…台紙、１４…カード枠層、１５…カード支持層、１６…カード収容部、１６ａ…上辺、１６ｂ…底辺、１６ｃ…側辺、１６ｄ…切欠き、１７…切れ込み線、１７ａ…上部切れ込み線、１７ｂ…側部切れ込み線、１７ｃ…基部、１８…フラップ部、１９…突出部
【図１】
0003234324.tif 000003
【図２】
0003234324.tif 000004
【図３】
0003234324.tif 000005
【図４】
0003234324.tif 000006